(57)【要約】      （修正有）【課題】回転体の周面のうち外界に露出する部分の少なくとも下半部の外側を遮蔽可能なシャッター機構を設けた金型反転装置を提供する。【解決手段】基台構造１０と、２面の金型載置面２１ａ，２１ｂを有し且つ基台構造１０上に回転自在に支持された回転体２０と、この回転体２０を回転駆動可能な回転駆動手段とを有し、金型Ｍを９０°反転可能な金型反転装置１において、基台構造１０の両端部に配設されて、回転体２０の周面のうちの外界へ露出する部分の一部を遮蔽可能な１対のシャッター機構４０を設け、シャッター機構４０は、基台構造１０の端部に設けた鉛直の案内部４１と、案内部４１に昇降可能に配設され且つ所定の上下幅を有するシャッター板４２と、シャッター板４２を上昇させて前記一部の外側を遮蔽する遮蔽位置と、非遮蔽位置とに位置切換え可能なシャッター板昇降手段を設けた。【選択図】図１
0003207602.tif 000002
【実用新案登録請求の範囲】
【請求項１】
基台構造と、開角が約９０°の２面の金型載置面を有し且つ基台構造上に回転自在に支持された回転体と、この回転体を回転駆動可能な回転駆動手段とを有し、一方の金型載置面に載置した金型を他方の金型載置面上に９０°反転可能な金型反転装置において、
前記基台構造の両端部に配設されて、前記回転体の周面のうちの外界へ露出する部分の少なくとも下半部の外側を遮蔽可能な１対のシャッター機構を設け、
前記シャッター機構は、
前記基台構造の端部に設けた鉛直の案内部と、
前記案内部に昇降可能に配設され且つ所定の上下幅を有するシャッター板と、
前記シャッター板を上昇させて前記少なくとも下半部の外側を遮蔽する遮蔽位置と、この遮蔽位置から下降させた非遮蔽位置とに位置切換え可能なシャッター板昇降手段と、
を有することを特徴とする金型反転装置。
【請求項２】
前記基台構造は、前記回転体の回転軸心方向に所定間隔離隔した両端部に設けられた円弧形の１対の回転体支持部を備えたことを特徴とする請求項１に記載の金型反転装置。
【請求項３】
前記回転体は、前記１対の回転体支持部で回転自在に支持される円弧状の被支持部を夫々備えた１対の回転板を備えたことを特徴とする請求項２に記載の金型反転装置。
【請求項４】
前記回転体支持部は、前記回転板の被支持部を支持する複数のローラ部材を有することを特徴とする請求項３に記載の金型反転装置。
【考案の詳細な説明】
【技術分野】
【０００１】
本考案は、金型を載置支持した状態でその金型を９０°反転させる為の金型反転装置に関する。
【背景技術】
【０００２】
通常、金型を補修する際には、金型を９０°又は１８０°反転することが必要である。  特許文献１には、基台構造と、開角９０°の２面の金型載置面を有し且つ基台構造上に回転自在に支持された回転体と、この回転体を回転駆動可能な回転駆動手段とを有し、一方の金型載置面に載置した金型を他方の金型載置面上に９０°反転可能な金型反転装置が開示されている。
【０００３】
この金型反転装置では、回転体の両端部の転動面形成板の円弧状の転動面が、基台構造の複数の遊転ローラで支持されている。また、回転体の転動面形成板の円弧状の転動面のうちの約１／２が外界に露出しているため、その転動面や遊転ローラに作業者が接近したり、接触したりする虞がある。
【０００４】
そこで、本出願人は、図４に示すように、金型反転装置１００の基台構造１０１に回転自在に支持された回転体１０２に開角約９０°の２面の金型載置面１０３ａ，１０３ｂを形成し、基台構造１０１の両端部にスクリーン巻き取り装置１０４を夫々設け、このスクリーン巻き取り装置１０４から引き出したスクリーン１０５の上端部を回転体１０２の端部に連結し、回転体１０２の周面のうち外界に露出する部分を常時スクリーン１０５で覆うようにした金型反転装置を実用化した。
【先行技術文献】
【特許文献】
【０００５】
【特許文献１】実用新案登録第３００１２５１号公報
【考案の概要】
【考案が解決しようとする課題】
【０００６】
特許文献１の金型反転装置においては、回転体の転動面形成板の円弧状の転動面のうちの約１／２が外界に露出しており、その転動面や遊転ローラに作業者が接近したり、接触したりするのを防止する安全対策が何ら講じられていないため、作業者が回転体に接近し、転動面と遊転ローラの間に手を挟まれたり、指を怪我したりするという問題がある。
【０００７】
図４に示す金型反転装置では、布製のスクリーンが剛性に乏しく撓み易いため、スクリーンが転動面と遊転ローラの間に噛み込まれたり、スクリーンが破れたり、汚れたりするという問題がある。
【０００８】
本考案の目的は、回転体の周面のうち外界に露出する部分の少なくとも下半部の外側を遮蔽可能なシャッター機構を設けた金型反転装置を提供することである。
【課題を解決するための手段】
【０００９】
請求項１の金型反転装置は、基台構造と、開角が約９０°の２面の金型載置面を有し且つ基台構造上に回転自在に支持された回転体と、この回転体を回転駆動可能な回転駆動手段とを有し、一方の金型載置面に載置した金型を他方の金型載置面上に９０°反転可能な金型反転装置において、前記基台構造の両端部に配設されて、前記回転体の周面のうちの外界へ露出する部分の少なくとも下半部の外側を遮蔽可能な１対のシャッター機構を設け、前記シャッター機構は、前記基台構造の端部に設けた鉛直の案内部と、前記案内部に昇降可能に配設され且つ所定の上下幅を有するシャッター板と、前記シャッター板を上昇させて前記少なくとも下半部の外側を遮蔽する遮蔽位置と、この遮蔽位置から下降させた非遮蔽位置とに位置切換え可能なシャッター板昇降手段とを有することを特徴としている。
【００１０】
請求項２の金型反転装置は、請求項１の考案において、前記基台構造は、前記回転体の回転軸心方向に所定間隔離隔した両端部に設けられた円弧形の１対の回転体支持部を備えたことを特徴としている。
【００１１】
請求項３の金型反転装置は、請求項２の考案において、前記回転体は、前記１対の回転体支持部で回転自在に支持される円弧状の被支持部を夫々備えた１対の回転板を備えたことを特徴としている。
【００１２】
請求項４の金型反転装置は、前記回転体支持部は、前記回転板の被支持部を支持する複数のローラ部材を有することを特徴としている。
【考案の効果】
【００１３】
請求項１の考案によれば、基台構造の両端部に配設されて、回転体の周面のうちの外界へ露出する部分の少なくとも下半部の外側を遮蔽可能な１対のシャッター機構を設け、シャッター機構は、鉛直の案内部と、案内部に昇降可能に配設されたシャッター板と、シャッター板を昇降させて遮蔽位置と非遮蔽位置とに位置切換えるシャッター板昇降手段とを有するため、回転体の周面が外界に露出する場合には、外界に露出する部分の少なくとも下半部を、遮蔽位置に切換えたシャッター板により遮蔽することができるから、作業者に対する安全性を確保することができる。
しかも、シャター板は剛性もあり、撓むこともないから回転体と基台構造の間に噛み込まれることもなく、破損しにくく、汚れにくく耐久性に優れる。
【００１４】
請求項２の考案によれば、基台構造に設けた１対の回転体支持部により回転体を回転自在に支持することができる。
請求項３の考案によれば、回転体の１対の回転板の円弧状の被支持部を基台構造の１対の回転体支持部で回転自在に支持することができる。
請求項４の考案によれば、回転板の被支持部を回転体支持部の複数のローラ部材で支持ることができる。
【図面の簡単な説明】
【００１５】
【図１】本考案の実施形態に係る金型反転装置の斜視図である。
【図２】前記金型反転装置の前面板と左側面板を取り外した状態の斜視図である。
【図３】回転駆動手段を示す要部断面図である。
【図４】従来技術に係る金型反転装置の斜視図である。
【考案を実施するための形態】
【００１６】
本考案を実施するための形態について、図１〜図３に基づいて説明する。
尚、図１において、説明の都合上、符号Ｌが左方、符号Ｒが右方、符号Ｆが前方を示すものとする。
金型反転装置１は、基台構造１０と、この基台構造１０上に回転自在に支持された回転体２０と、この回転体２０を前後方向向きの水平な回転軸心Ｘ回りに回転駆動可能な回転駆動手段３０と、基台構造１０の左右両端部に配設されて、回転体２０の周面のうちの外界へ露出する部分の少なくとも下半部の外側を遮蔽可能な左右１対のシャッター機構４０とを備え、この金型反転装置１は、回転体２０の一方の金型載置面２１ａ又は２１ｂに載置した金型Ｍを他方の金型載置面２１ｂ又は２１ａ上に９０°反転可能である。
【００１７】
最初に、基台構造１０について説明する。
基台構造１０は、底面板１１と、前面板１２と、後面板１２と、左側面板１３と、右側面板１４等を有し、所定の前後幅を有する左右方向に細長い直方体状に構成されている。
前面板１１と後面板１２の左右方向中央部分の上部には、Ｄ形部を円弧線で切り欠いたＤ形切欠き部１５が夫々形成され、基台構造１０の左右方向の中央部分には回転体２０を搭載する回転体搭載部が設けられ、左端部分には左端箱状部１６が形成され、右端部分には右端箱状部１７が形成されている。
【００１８】
前面板１１の内面側近傍には、Ｄ形切欠き部１５の下側近傍に沿う円弧形の回転体支持部１８が形成され、回転体支持部１８は適当間隔おきに配置された複数の遊転ローラ１８ａで形成されている。後面板１２の内面側近傍には、Ｄ形切欠き部１５の下側近傍に沿う円弧形の回転体支持部１８が形成され、回転体支持部１８は適当間隔おきに配置された複数の遊転ローラ１８ａで形成されている。尚、遊転ローラ１８ａは回転軸心Ｘと平行な支軸１８ｂで底板１１に支持されている。尚、前面板１２と後面板１３には面外へ突出する１対の吊持用金具１９が固定されている。
【００１９】
次に、回転体２０について説明する。
回転体２０は、開角が約９０°の２面の金型載置面２１ａ，２１ｂを有し且つ基台構造１０上に回転自在に支持されている。回転体２０は、基台構造１０の前後１対の回転体支持部１８で回転自在に支持される円弧状の被支持部２２を夫々備えた前後１対の回転板２３ａ，２３ｂと、１対の回転板２３ａ，２３ｂに固着された正面視Ｌ形のＬ形板２４とを備えている。Ｌ形板２４の外面に２面の金型載置面２１ａ，２１ｂが形成されている。
【００２０】
各回転板２３ａ，２３ｂは、円の左部の縦向きＤ形部と円の下部の横向きＤ形部とを一体化したＬ形に形成されている。各回転板２３ａ，２３ｂは複数枚の薄鋼板を複数のボルト２５により積層して構成され、前後１対の回転板２３ａ，２３ｂは、Ｌ形板２４と、複数のリブ材２６と、前後方向に延びる複数のタイロッド２７で連結されている。タイロッド２７の前後両端部には回転板２３ａ，２３ｂの外側でナット２７ａが螺合されている。
【００２１】
次に、回転駆動手段３０について説明する。
回転駆動手段３０は、ピン保持体３１と、このピン保持体３１の複数のピン３２のうちの一部のピン３２に係合したスプロケット３３と、このスプロケット３３を回転駆動可能な減速機付き電動モータ３４とを有する。ピン保持体３１は、前記回転板２３ａ，２３ｂよりも僅かに小径の且つ回転板２３ａ，２３ｂと同形状の部材であり、１対の回転板２３ａ，２３ｂの間において回転体２０のＬ形板２４に固着されている。尚、電動モータ３４は制御駆動部に接続されている。
【００２２】
ピン保持体３１は、１対のピン保持板３１ａと、これらピン保持板３１ａの外周近傍部に周方向に所定小間隔おきに固定された複数のピン３２とで構成されている。
１対のピン保持板３１ａは、所定の小間隔空けて対向させて前記複数のピン３２にて一体的に連結されている。この回転駆動手段３０により、図１の状態の回転体２０を反時計回り方向へ約９０°回転駆動させたり、その回転後に原位置へ復帰回転させたりすることが可能に構成されている。
【００２３】
次に、シャッター機構４０について説明する。
１対のシャッター機構４０は、左端箱状部１６の左端部と、右端箱状部１７の右端部とに配設されている。これら左右のシャッター機構４０は同構造のものであるので、以下左側のシャッター機構４０について説明する。
【００２４】
各シャッター機構４０は、基台構造１０の端部（左端部）に設けた鉛直の案内部４１と、この案内部４１に昇降可能に配設され且つ所定の上下幅を有するシャッター板４２と、このシャッター板４２を上昇させて、回転体２０の周面のうち外界へ露出する部分の少なくとも下半部の外側を遮蔽する遮蔽位置と、この遮蔽位置から下降させた非遮蔽位置とに位置切換え可能なシャッター板昇降手段４３とを備えている。
【００２５】
シャッター板４２は、基台構造１０の左端箱状部１６の上下幅とほぼ等しい上下幅と、左端箱状部１６の前後幅より僅かに小さい前後幅とを有し且つ小さな左右幅を有する矩形状の合成樹脂製の下面開放の偏平箱体からなる。但し、シャッター板４２を１枚の金属板又は金属板製の偏平箱体で構成してもよい。
【００２６】
シャッター板昇降手段４３は、基台構造１０の端部（左端部）に立設された複数の油圧シリンダ４４で構成されている。油圧シリンダ４４のシリンダ本体４４ａの下端部が底面板１１に固定され、ピストンロッド４４ｂの上端がシャッター板４２の天板４２ａに固定されている。尚、油圧シリンダ４４は油圧供給源に接続されている。
左端箱状部１６の左側面の上端部には、シャッター板４２が上昇する際に赤色に点灯するランプ４５が設けられている。上記のランプ４５は制御駆動部に接続されている。
【００２７】
複数の油圧シリンダ４４のピストンロッド４４ｂを最大限伸長させると、シャッター板４２が上昇した遮蔽位置に切換えられる。この遮蔽位置のとき、シャッター板４２の下端部が案内部４１に係合状態になっている。複数の油圧シリンダ４４のピストンロッド４４ｂを最大限収縮させると、シャッター板４２が下降した非遮蔽位置に切換えられる。この非遮蔽位置のとき、シャッター板４２の上端が左端箱状部１６または右端箱状部１７の上端とほぼ一致した状態になる。尚、左端箱状部１６や右端箱状部１７の内部には制御駆動部や油圧供給源が収容されている。
【００２８】
次に、以上説明した金型反転装置１の作用（動作）、効果について説明する。
図１のように、金型載置面２１ａに金型Ｍを載置し、金型Ｍの左端を金型載置面２１ｂに当接させた状態において、回転体２０を反時計回り方向へ９０°回転させると、金型載置面２１ｂが水平姿勢になり、その金型載置面２１ｂに９０°反転された金型Ｍが載置された状態になる。こうして、金型  を９０°反転することができる。尚、９０°反転を２回繰り返すことで、１８０°反転が可能である。
【００２９】
回転体２０を時計回り方向へ回転駆動して左側の金型載置面２１ｂを鉛直姿勢に切換える際には、予め左側のシャッター板４２を遮蔽位置に切換える。尚、このとき、右側のシャッター板４２は非遮蔽位置に保持される。そのため、金型載置面２１ａ上へ金型Ｍを搬出入する際に右側のシャッター板４２が邪魔になることがない。
【００３０】
左側のシャッター板４２を遮蔽位置に切換えると、回転体２０の左側の周面のうち外界に露出する部分の少なくとも下半部が遮蔽されるため、作業者が前記下半部に接近することができなくなるため、手や指を負傷する虞が皆無になり、安全性が著しく向上する。
【００３１】
上記と反対に、回転体２０を反時計回り方向へ回転駆動して右側の金型載置面２１ａを鉛直姿勢に切換える際には、予め右側のシャッター板４２を遮蔽位置に切換える。このとき、左側のシャッター板４２は非遮蔽位置に保持される。そのため、金型載置面２１ｂ上へ金型Ｍを搬出入する際に左側のシャッター板４２が邪魔になることがない。
【００３２】
右側のシャッター板４２を遮蔽位置に切換えると、回転体２０の右側の周面のうち外界に露出する部分の少なくとも下半部が遮蔽されるため、作業者が前記下半部に接近することができなくなるため、手や指を負傷する虞が皆無になり、安全性が著しく向上する。
【００３３】
しかも、シャター板４２は剛性もあり、撓むこともないから回転体２０と基台構造１０の間に噛み込まれることもなく、破損しにくく、汚れにくく耐久性に優れる。
【００３４】
次に、前記実施形態を変更する変更例について説明する。
１）前記シャッター板４２をテレスコピックの構造とし、油圧シリンダ４４としてテレスコピック型の油圧シリンダを採用し、遮蔽可能な上下幅を大きく構成してもよい。
２）シャッター板昇降手段の油圧シリンダに代えて、エアシリンダを採用してもよい。
【００３５】
３）回転駆動手段のピン保持体の周面にチェーンを固定し、そのチェーンに係合するスプロケットを回転駆動するように構成してもよ。
４）回転板２３ａ，２３ｂを複数の鋼板でなく、１枚の鋼板で構成してもよい。
５）前記シャッター板４２は必ずしも箱状体に構成する必要はなく、１枚の板状部材で構成してもよい。
６）その他当業者であれば、本考案の趣旨を逸脱することなく前記実施形態に種々の変更を付加した形態で実施可能で、本考案はそのような変更形態をも包含するものである。
【符号の説明】
【００３６】
１      金型反転装置
１０    基台構造
１８    回転体支持部
１８ａ  遊転ローラ
２０    回転体
２１ａ，２１ｂ    金型載置面
２２    被支持部
２３ａ，２３ｂ    回転板
３０    回転駆動手段
４０    シャッター機構
４１    案内部
４２    シャッター板
４３    シャッター板昇降手段
【図１】
0003207602.tif 000003
【図２】
0003207602.tif 000004
【図３】
0003207602.tif 000005
【図４】
0003207602.tif 000006